(57)【特許請求の範囲】
【請求項１】
バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は往管と戻り管を区別するための管路チェック動作モードの制御部を備えており、該管路チェック動作モードの制御部は管路チェック指令を受けて、注湯・注水電磁弁の開動作と前記注湯・注水流路切り替え弁を往管のみへの通水に切り替える動作とを行って前記給湯管から前記湯・水供給通路に湯又は非加熱の水を供給する制御構成を有していることを特徴とする給湯風呂装置。
【請求項２】
バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は往管と戻り管の前記循環・排水流路切り替え弁および浴槽への誤接続を、前記追い焚き循環通路を通して循環可能な残水が浴槽内ある状態のもとで検査するための管路接続チェック動作モードの制御部を備えており、該管路接続チェック動作モードの制御部は管路接続チェック指令を受けて、前記循環・排水流路切り替え弁を排水通路側に切り替えてから循環ポンプを駆動する制御構成を有していることを特徴とする給湯風呂装置。
【請求項３】
バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は前記往管と戻り管を区別するための管路チェック動作モードの制御部と、前記往管と戻り管の前記循環・排水流路切り替え弁および浴槽への誤接続を、前記追い焚き循環通路を通して循環可能な残水が浴槽内ある状態のもとで検査するための管路接続チェック動作モードの制御部とを備えており、前記管路チェック動作モードの制御部は管路チェック指令を受けて、注湯・注水電磁弁の開動作と前記注湯・注水流路切り替え弁を往管のみへの通水に切り替える動作とを行って前記給湯管から前記湯・水供給通路に湯又は非加熱の水を供給する制御構成を有しており、前記管路接続チェック動作モードの制御部は管路接続チェック指令を受けて、前記循環・排水流路切り替え弁を排水通路側に切り替えてから循環ポンプを駆動する制御構成を有していることを特徴とする給湯風呂装置。
【請求項４】
浴槽から循環ポンプ、追い焚き熱交換器を順に経て循環・排水流路切り替え弁に至る追い焚き循環通路内の通水を検出する通水検出手段を備え、管路接続チェック動作モードの動作中に前記通水検出手段によって通水が検出されないときにはエラー信号を出力するエラー信号出力部が設けられていることを特徴とする請求項２又は請求項３記載の給湯風呂装置。
【発明の詳細な説明】
【技術分野】
【０００１】
本発明は、通水の水を加熱して作成した湯を給湯したり、浴槽へ湯張りする機能を備えた給湯風呂装置に関するものである。
【背景技術】
【０００２】
図２には本出願人が開発中の給湯風呂装置のシステム構成が示されている。同図において、燃焼器具１の燃焼室２内には給湯熱交換器と追い焚き熱交換器１２とが配置されている。給湯熱交換器はメイン熱交換器３と潜熱熱交換器４とから成る。メイン熱交換器３の下方側には１つ以上（図では３個）の給湯バーナ５が配置されており、追い焚き熱交換器１２の下方側には追い焚きバーナ１３が配置されている。
【０００３】
これら、給湯バーナ５と追い焚きバーナ１３はそれぞれ分岐ガス管８に連通接続されており、各分岐ガス管８は基幹ガス管７に統合されている。各分岐ガス管８にはガス弁１１が介設されており、基幹ガス管７には元ガス弁９と比例弁１０が設けられている。比例弁１０は給湯バーナ５や、追い焚きバーナ１３に供給するガス量を開弁量によって調整するものであり、その開弁量の制御は制御装置によって行われている。燃焼室２の下部側に設けられている燃焼ファン６はファン回転によって給湯バーナ５および追い焚きバーナ１３へ給排気の空気を供給する。ファン回転数は制御装置によって制御されている。制御装置はバーナ５、１３の燃焼量にマッチングした風量を対応するバーナ５、１３に供給すべく燃焼ファン６のファン回転数を制御する。
【０００４】
前記潜熱熱交換器４はメイン熱交換器３よりも上方側（燃焼ガスの流れの下流側）に配置されている。潜熱熱交換器４の入水口には給水管１４が接続され、潜熱熱交換器４の出口はメイン熱交換器３の入水口に連通接続され、メイン熱交換器３の出口には給湯管１５が接続されている。メイン熱交換器３は給湯バーナ５による燃焼ガスの顕熱を吸熱し、潜熱熱交換器４は主に燃焼ガスの潜熱を吸熱して給水管１４から供給される水を加熱して設定温度（リモコン等により設定される給湯の設定温度）の湯を作り出し、給湯管１５を通してその湯を給湯の要求先に供給する。
【０００５】
潜熱熱交換器４の下部側には燃焼ガスの潜熱回収時に発生するドレンを受けるドレン受１６が配置されており、このドレン受１６に受け止められたドレンはドレン管１７を通して中和器１８に入り込む。中和器１８には炭酸カルシウム等の中和剤が充填されており、酸性を有するドレン水が中和される。この中和されたドレン水は下側のドレンタンク１９に貯留される。
【０００６】
前記追い焚き熱交換器１２の入水口には管路２９の一端側が接続されており、管路２９の他端側は循環ポンプ４７のポンプ吐出口２６に接続されている。追い焚き熱交換器１２の出口は往管３０の一端側に接続され、往管３０の他端側はアダプタ３１を介して浴槽３２に接続されている。この往管３０には配管の接続部が３ヶ所ある循環・排水流路切り替え弁としての第３の切り替え弁３５が介設されており、第３の切り替え弁３５は追い焚き熱交換器１２側から往管３０（例えば架橋ポリエチレン管１０Ａ）を通して流れてくる流水を浴槽３２側への通路（例えば架橋ポリエチレン管１０Ａ）と排水通路４８への通路との一方側へ選択的に切り替えるもので、排水通路４８は、例えば架橋ポリエチレン管７Ａのごとく往管３０や戻り管２８と配管径を変えて浴室内に配置されており、排水通路４８から排出された流水は浴室の洗い場の排水口に入り、外部へ排水される構成と成している。
【０００７】
すなわち、往管３０を通して流れてくる流水を受け入れる取付口（ふろ往き（入））と、浴槽３２側への通路となる配管を取り付ける取付口（ふろ往き（出））と、排水通路４８が取り付けられる取付口（ドレン排水）とが、第３の切り替え弁３５に設けられる（図３参照）。また、ドレン排水したり、排水したドレンが配管に残らないように洗浄する水量は、流量を制限して、流れる水の音（排水音）を小さくしているので、排水通路４８の配管径は他の配管より小さくすることができる。図２の例では、第３の切り替え弁３５はドレン排水切り替えユニット３６として図３に示されるようなユニットの形態で構成されて、往管３０に組み込まれている。
【０００８】
前記循環ポンプ４７のポンプ吸い込み口２５は注湯・注水流路切り替え弁としての第２の切り替え弁３４を介して戻り管２８（例えば架橋ポリエチレン管１０Ａ）に連通接続されており、浴槽３２、戻り管２８、その戻り管２８の分岐通路２８ａ、２８ｂのうちの一方側の分岐通路２８ｂ、循環ポンプ４７、管路２９、追い焚き熱交換器１２、往管３０、第３の切り替え弁３５を順に介して浴槽３２に戻る通路は追い焚き循環通路２７を形成している。
【０００９】
前記給湯管１５には湯・水供給通路２０の一端側が接続され、湯・水供給通路２０の他端側は注湯・注水電磁弁４４を介して第１の切り替え弁３３に接続されている。第１の切り替え弁３３にはドレンタンク排出路２３の出口とポンプ連通用通路２４の入口側が接続されており、ドレンタンク排出路２３の入口側は逆止弁２２を介してドレンタンク１９の底部に連通接続されている。また、ポンプ連通用通路２４の出口は第２の切り替え弁３４に接続されている。第１の切り替え弁３３は湯・水供給通路２０とドレンタンク排出路２３との一方側を選択的にポンプ連通用通路２４へ切り替えるものである。なお、第１の切り替え弁３３によって湯・水供給通路２０がポンプ連通用通路２４に連通状態にあるときにはポンプ連通用通路２４は湯・水供給通路２０として機能し、第１の切り替え弁３３によってドレンタンク排出路２３がポンプ連通用通路２４に連通されている状態にある時には、ポンプ連通用通路２４はドレンタンク排出路２３として機能する。
【００１０】
また、前記第２の切り替え弁３４は四方弁として機能し、戻り管２８の分岐通路２８ｂを循環ポンプ４７のポンプ吸い込み口２５に接続する動作と、ポンプ連通用通路２４を循環ポンプ４７のポンプ吸い込み口２５に接続する動作と、戻り管２８の分岐通路２８ｂを循環ポンプ４７のポンプ吸い込み口２５に接続し、かつ、戻り管２８の分岐通路２８ａをポンプ連通用通路２４に接続する動作とを制御装置からの指令に応じ選択的に行うものである。
【００１１】
上記第１の切り替え弁３３、第２の切り替え弁３４、第３の切り替え弁３５はそれぞれモータを備え、モータの駆動によって通路（流路）を切り替える構成と成している。このようなモータ駆動によって通路（流路）を切り替える弁は周知であるので、この弁の具体的な構成や、その作用の説明は省略する。
【００１２】
なお、図２中、３７は湯水温を検出するサーミスタ、３８は水量センサ、３９はバイパス通路、４０は流水流量を調節する水量サーボ、４１はバイパス通路３９に流れる給水の水量を調節するバイパスサーボ、４２は大気開放弁、４３は逆止弁、４９はドレンタンク１９からのオーバーフロー水や、大気開放弁４２から出る水を外部へ排出する排水管、２１はドレンタンク１９内に貯留されているドレン水の水位レベルを検出するための複数の水位電極、をそれぞれ示している。
【００１３】
この給湯風呂装置は、制御装置によって、給湯運転と、追い焚き運転と、湯張り運転と、ドレン排水運転と、ドレン洗浄運転との各運転動作が制御されており、以下、これらの各運転動作の一例を簡単に説明する。
【００１４】
給湯運転は給湯管１５の先方に設けられている給湯栓（図示せず）等が開かれることによって開始する。給湯栓が開かれると給水管１４に給水が導入される。この給水管１４に流れる流量が水量センサ３８によって検出されて作動流量以上に達すると、給湯バーナ５へ通じる分岐ガス管８のガス弁１１が開けられるとともに燃焼ファン６のファン回転が行われて、要求燃焼量に応じて選択された個数の給湯バーナ５の燃焼が行われ、潜熱熱交換器４およびメイン熱交換器３を通る水が加熱されて湯が作り出され、この湯が給湯管１５を通して開状態の給湯栓に供給されて出湯される。
【００１５】
追い焚き運転はリモコンによって追い焚き運転が指令されたときや、保温機能を有する器具においては浴槽湯水の温度が設定温度よりも許容範囲を越えて低下したとき等に行われる。この追い焚き運転は第２の切り替え弁３４によって戻り管２８の分岐通路２８ｂが循環ポンプ４７のポンプ吸い込み口２５に連通され、第３の切り替え弁３５によって追い焚き熱交換器１２から第３の切り替え弁３５までの往管３０の通路３０ｂが第３の切り替え弁３５から浴槽３２に至る通路部位３０ａに連通された状態で循環ポンプ４７を駆動することにより行われる。循環ポンプ４７の駆動によって、浴槽３２内の湯水が追い焚き循環通路２７を通して循環し、循環水が流水スイッチ４５によって検出されたときに燃焼ファン６の回転駆動と追い焚きバーナ１３の燃焼が開始され、循環水が追い焚き熱交換器１２を通るときに追い焚きバーナ１３の燃焼熱によって加熱され、浴槽湯水の温度が上昇する。追い焚き循環通路２７に設けたサーミスタ３７によって検出される浴槽湯水の温度がリモコンによって設定された風呂の設定温度に達した時等に循環ポンプ４７の動作が停止され、追い焚きバーナ１３の燃焼停止および燃焼ファン６の回転停止が行なわれて追い焚き運転が終了となる。すなわち、戻り管２８、往管３０の通路３０ｂ、往管３０の通路部位３０ａの全てに浴槽湯水が流れる。
【００１６】
湯張り運転は、リモコン等により湯張り運転（自動運転）が指令されることによって開始する。湯張り運転（自動運転）が指令されると、第１の切り替え弁３３により湯・水供給通路２０をポンプ連通用通路２４に連通する動作と、第２の切り替え弁３４により戻り管２８の分岐通路２８ｂを循環ポンプ４７のポンプ吸い込み口２５に連通すると共に、戻り管２８の分岐通路２８ａをポンプ連通用通路２４に連通する動作と、第３の切り替え弁３５により往管３０の追い焚き熱交換器１２から第３の切り替え弁３５までの通路部分３０ｂを往管３０の第３の切り替え弁３５から浴槽３２に至る通路部分３０ａに連通させる動作とが行われ、この流路の切り替え状態で、注湯・注水電磁弁４４が開けられる。
【００１７】
そうすると、給水管１４から給湯熱交換器（潜熱熱交換器４およびメイン熱交換器３）に給水が導入されることにより、前記の給湯運転の動作と同様に動作して給湯熱交換器で湯張り設定温度の湯が作り出され、その湯はメイン熱交換器３から給湯管１５、湯・水供給通路２０、第１の切り替え弁３３、ポンプ連通用通路２４、第２の切り替え弁３４へと順に流れる。そして、ポンプ連通用通路２４から第２の切り替え弁３４に供給されてきた湯は、分岐通路２８ａ、戻り管２８を順に経て浴槽３２に至る流れと、分岐通路２８ａ、分岐通路２８ｂ、ポンプ吸い込み口２５、循環ポンプ４７、ポンプ吐出口２６、管路２９、追い焚き熱交換器１２、往管３０（３０ｂ）、第３の切り替え弁３５、往管３０（３０ａ）を順に経て浴槽３２に至る流れとによって、浴槽３２に落とし込まれ、浴槽３２内の湯の水位が時間の経過にともない上昇していく。そして、水位センサ４６によって水圧により検出された浴槽水位がリモコンによって設定された湯張り設定水位に達したときに注湯・注水電磁弁４４が閉じられ、湯張りの動作が終了する。
【００１８】
すなわち、すなわち、戻り管２８と往管３０（通路３０ｂ、通路部位３０ａを含む）の２本を使って、同時に浴槽へ湯水を流すことで、圧損が少なく、湯張りを早くできる。また、浴槽湯水の温度を下げる操作が、リモコン装置操作によって行われたとき（例えばリモコン装置の「ぬるゆ」スイッチが操作されたとき）には、注湯電磁弁を開けて、給湯回路側から加熱されていない水を例えば予め定められた設定量だけ浴槽３２に注水する足し水機能の動作を制御する。このときも、戻り管２８と往管３０の２本を使って、同時に浴槽へ水を流し、すみやかに湯温をさげることができる。
【００１９】
なお、湯張りが完了した後に保温動作や保水動作を行う機能を有する器具においては湯張りの後にそれらの運転モードに移行する。このときの保温動作や保水動作のときも、戻り管２８と往管３０の２本に湯水が流れる。
【００２０】
ドレン排水運転は予め定められたドレン排水開始条件が満たされたとき（例えば、水位電極２１によってドレンタンク１９内のドレン水の水位が予め定めた排水レベルに達したとき等）に運転が開始する。この運転開始に際しては、第２の切り替え弁３４によりポンプ連通用通路２４を循環ポンプ４７のポンプ吸い込み口２５に連通接続し、次に、第３の切り替え弁３５により追い焚き熱交換器１２から第３の切り替え弁３５までの往管３０ｂの通路を排水通路４８に連通接続し、次に、第１の切り替え弁３３によりドレンタンク排出路２３をポンプ連通用通路２４に連通接続した状態で、循環ポンプ４７を駆動する。
【００２１】
循環ポンプ４７の駆動により、ドレンタンク１９内のドレン水はドレンタンク排出路２３、ポンプ吸い込み口２５、循環ポンプ４７、ポンプ吐出口２６、管路２９、追い焚き熱交換器１２、往管３０ｂ、第３の切り替え弁３５を順に経て排水通路４８から浴室（具体的には浴室の洗い場）に排出される。
【００２２】
そして、予め定めたドレン排水終了条件に達したとき（例えば、ドレンタンク１９内のドレン水の水位が予め定めたドレン排水終了レベルに達したとき等）に循環ポンプ４７の駆動を停止し、ドレン排水運転を終了する。
【００２３】
ドレン洗浄運転はドレン排水運転によって通路に付着したドレン水を洗浄するものであり、ドレン排水運転の後に行うもので、ドレン洗浄運転の開始に際しては、第１の切り替え弁３３によりポンプ連通用通路２４を湯・水供給通路２０に連通接続し、次に、注湯・注水電磁弁４４を開動作させることにより開始する。このとき、第２の切り替え弁３４、第３の切り替え弁３５はドレン排水運転の切り替え位置であり、往管３０ｂは排水通路４８に連通接続された状態になっている。
【００２４】
注湯・注水電磁弁４４を開動作させることにより給水管１４から給水が給湯熱交換器（潜熱熱交換器４およびメイン熱交換器３）に入り、給湯運転時と同様に給湯バーナ５の燃焼が行われ、給湯熱交換器により湯が作り出される。この湯は、給湯管１５から湯・水供給通路２０、第１の切り替え弁３３、ポンプ連通用通路２４、循環ポンプ４７、追い焚き熱交換器１２、往管３０ｂ、第３の切り替え弁３５を順に経て排水通路４８から浴室内に排水される。注水量が予め定めた設定流量に達したとき、或いは、注水時間が予め定めた時間に達したとき等の、洗浄終了条件が満たされたときに注湯・注水電磁弁４４が閉動作され、注湯によるドレン洗浄運転が終了する。なお、給湯バーナ５を燃焼させずにドレン洗浄運転を同様に行えば、非加熱の水によってドレン洗浄運転が行われることになる。
【００２５】
また、ドレン洗浄運転は、給湯熱交換器により作られた湯を水量制御弁による制御により例えば９リットル／分として、浴槽１４への注湯や注水時の流量（例えば２４リットル／分）よりも小さくし、合計６リットルの水を注水する。このようにすることで、ドレン洗浄時に流れる水の音（排水音）を小さくできる。すなわち、ドレン排水運転を含めて排水音を小さくするために流量を小さくしているので、戻り管２８または往管３０のどちらか１本の使用で、ドレン排水運転やドレン洗浄運転をまかなえる。
【００２６】
このドレン洗浄運転の終了時には、第３の切り替え弁３５により往管３０ｂは往管３０ａに連通接続され、第２の切り替え弁３４により分岐通路２８ｂがポンプ吸い込み口２５に連通接続されるという如く、第２の切り替え弁３４と第３の切り替え弁３５は定位置となる追い焚き運転位置に通路の切り替えを行う。
【先行技術文献】
【特許文献】
【００２７】
【特許文献１】特開２００９−２２８９６３号公報
【特許文献２】実用新案登録第２５２５００４号公報
【発明の概要】
【発明が解決しようとする課題】
【００２８】
図２に示される給湯風呂装置においては、メイン熱交換器３、潜熱熱交換器４、給湯バーナ５、追い焚きバーナ１３、注湯・注水電磁弁４４、循環ポンプ４７、第１の切り替え弁３３、第２の切り替え弁３４、循環ポンプ４７等の装置類は図示されていないケース内に収容されており、そのケースから給湯管１５、給水管１４、基幹ガス管７、排水管４９、戻り管２８、往管３０等の水廻りや、ガス廻りの外部配管がケース内の対応する配管に接続されて外部へ導出される形態と成している。
【００２９】
図２のように、ドレン排水切り替えユニット３６を往管３０に介設する施工の作業を行うに際しては、前記ケースから導出されている追い焚き循環通路２７の往管３０と戻り管２８を区別認識し、往管３０に正しくドレン排水切り替えユニット３６を設置することが必要となる。
【００３０】
燃焼器具１を新築マンション等に新規に設置する場合には、追い焚き熱交換器１２に連通する追い焚き循環通路２７の往管３０と戻り管２８に対応する２本の配管がケース側で接続されて当該ケースの外側に引き出されるが、その２本の配管のどちらが往管３０であるのかを燃焼器具１の装置の前記ケースから離れた作業位置で見分けるのは難しい。
【００３１】
この場合、ケース側の配管接続位置と、２本の配管（管）のそれぞれ両端の位置に戻り管２８と往管３０を区別する着色や符号を予め付けておくことも考えられるが（特許文献１参照）、本来、２本の配管は戻り管專用と往管專用に区別して設計されているものではなく、いずれの配管をケース側の往管と戻り管の接続位置に接続してもよいものであり、配管の接続位置に前記着色や符号の識別が施されていると、その識別のしるしにしたがって配管側のしるしとケース側のしるしとを合わせて配管接続をするように強いられるので、配管接続の作業効率が悪くなる。
【００３２】
また、燃焼器具１の装置の前記ケースから浴槽３２までの距離は燃焼器具１の設置場所や建物構造の違い等によって異なるという事情もあり、長さの異なる多くの種類の配管（両端に識別の符号や着色を施した配管）を予め製造しておいて在庫管理するのは不経済である。燃焼器具１の設置場所に応じて敷設配管の長さが異なっても配管施工を容易に行うために、通常は、往管と戻り管を同じ配管を用い、燃焼器具１側（ケース側）に接続した配管を必要な長さ位置で切断して浴槽側に接続する施工形態をとるのが一般的であり、予め配管の両端に誤接続を防止するための識別を施す手法はこのような施工形態には適しない。
【００３３】
特に、ドレン排水切り替えユニット３６が設けられていない既設の風呂給湯システムの配管に、オプションとしてドレン排水切り替えユニット３６を組み込む場合には、その既設の配管の途中位置を切断してドレン排水切り替えユニット３６を組み込むことになるので、配管されている２本の管のうち、どちらが往管なのかを見分けるのは難しく、ドレン排水切り替えユニット３６を戻り管側に介設してしまうという誤接続の問題が発生しやすくなる。
【００３４】
また、浴槽３２に設けるアダプタ３１を無極性循環タイプのものとした場合には（特許文献２参照）、アダプタ３１に接続する２本の配管の接続が互いに入れ替わっても追い焚き循環動作が正常に行われるので、２本の配管のうちのどちらが往管側なのかを敷設状態の外観から見分けるのは特に困難であり、ドレン排水切り替えユニット３６を戻り管側に介設してしまうという誤接続（誤組み込み）の問題がより発生しやすくなる。
【００３５】
本発明は上記課題を解決するために成されたものであり、その目的は、配管に誤接続のための識別を施さなくても、ドレン排水切り替えユニット（図２の第３の切り替え弁３５）を追い焚き循環通路の往管に正しく組み込み施工することを容易化する給湯風呂装置を提供することにある。
【課題を解決するための手段】
【００３６】
上記目的を達成するために本発明は次に示す構成をもって前記課題を解決するための手段としている。すなわち、第１の発明は、バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は往管と戻り管を区別するための管路チェック動作モードの制御部を備えており、該管路チェック動作モードの制御部は管路チェック指令を受けて、注湯・注水電磁弁の開動作と前記注湯・注水流路切り替え弁を往管のみへの通水に切り替える動作とを行って前記給湯管から前記湯・水供給通路に湯又は非加熱の水を供給する制御構成を有していることをもって課題を解決する手段と成している。
【００３７】
また、第２の発明は、バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は往管と戻り管の前記循環・排水流路切り替え弁および浴槽への誤接続を、前記追い焚き循環通路を通して循環可能な残水が浴槽内ある状態のもとで検査するための管路接続チェック動作モードの制御部を備えており、該管路接続チェック動作モードの制御部は管路接続チェック指令を受けて、前記循環・排水流路切り替え弁を排水通路側に切り替えてから循環ポンプを駆動する制御構成を有していることをもって課題を解決する手段と成している。
【００３８】
さらに、第３の発明は、バーナの燃焼ガスの顕熱を吸熱するメイン熱交換器と該メイン熱交換器よりも燃焼ガスの流れの下流側に配置されて前記燃焼ガスの潜熱を吸熱する潜熱熱交換器を有して構成され、前記潜熱熱交換器からメイン熱交換器の順に通水する水を加熱して湯を作成し、当該湯を給湯管を通して給湯先に供給する給湯熱交換器と、浴槽水を戻り管を通して循環ポンプのポンプ吸い込み口に導き、該循環ポンプのポンプ吐出口から送出される浴槽水を追い焚き熱交換器を経由して該追い焚き熱交換器から往管を通して浴槽に戻す追い焚き循環通路と、前記給湯熱交換器の給湯管と前記追い焚き循環通路とを注湯・注水電磁弁を介して接続して成る湯・水供給通路と、該湯・水供給通路と前記追い焚き循環通路との接続部に設けられて湯・水供給通路を通して供給される湯又は水を前記往管と戻り管の両方への通水と往管のみへの通水に選択的に切り替える注湯・注水流路切り替え弁と、前記往管に連通接続された排水通路と、該排水通路と往管の連通接続部に設けられ前記追い焚き熱交換器から前記排水通路の連通接続部に至る往管の一部の通路を該排水通路の連通接続部から浴槽に至る往管の残りの一部の通路と前記排水通路との一方側へ選択的に切り替える循環・排水流路切り替え弁と、前記潜熱熱交換器で生じるドレン水を貯留するドレンタンクとを備え、該ドレンタンク内のドレン水を排水するドレン水排水運転においては、前記循環ポンプを駆動してドレンタンク内のドレン水を前記循環ポンプを経由し前記追い焚き熱交換器、往管を順に通して前記循環・排水流路切り替え弁から前記排水通路を通して外部へ排出する給湯風呂装置であって、該給湯風呂装置の運転を制御する制御装置は前記往管と戻り管を区別するための管路チェック動作モードの制御部と、前記往管と戻り管の前記循環・排水流路切り替え弁および浴槽への誤接続を、前記追い焚き循環通路を通して循環可能な残水が浴槽内ある状態のもとで検査するための管路接続チェック動作モードの制御部とを備えており、前記管路チェック動作モードの制御部は管路チェック指令を受けて、注湯・注水電磁弁の開動作と前記注湯・注水流路切り替え弁を往管のみへの通水に切り替える動作とを行って前記給湯管から前記湯・水供給通路に湯又は非加熱の水を供給する制御構成を有しており、前記管路接続チェック動作モードの制御部は管路接続チェック指令を受けて、前記循環・排水流路切り替え弁を排水通路側に切り替えてから循環ポンプを駆動する制御構成を有していることをもって課題を解決する手段と成している。
【００３９】
さらに、第４の発明は、上記第２又は第３の発明の構成を備えた上で、前記浴槽から循環ポンプ、追い焚き熱交換器を順に経て循環・排水流路切り替え弁に至る追い焚き循環通路内の通水を検出する通水検出手段を備え、管路接続チェック動作モードの動作中に前記通水検出手段によって通水が検出されないときにはエラー信号を出力するエラー信号出力部が設けられていることをもって課題を解決する手段と成している。
【発明の効果】
【００４０】
管路チェック動作モードの制御部を有する発明においては、燃焼器具の追い焚き循環通路の戻り側と往側の接続口にそれぞれ配管（管路）の一端側を接続した状態で、管路チェック動作モードの制御部の制御動作を進行させることにより、注湯・注水電磁弁が開けられて、給湯管から湯・水供給通路に水（又は湯）が供給され、その水（又は湯）は往管のみを通って排出されるので、新規に燃焼器具を設置施工する作業者はその配管の出口から排出される水を見ることによって、或いは配管に手を触れて水の流れの振動を感知する等により、燃焼器具に接続されている追い焚き循環通路の浴槽への接続前の２本の配管のうちどちらの配管（管路）が往管であるかを容易に認識区別することができる。それ故、その見分けがついた往管に正しく循環・排水流路切り替え弁（循環・排水流路切り替え弁のユニット）を組み込むことができる。そして、循環・排水流路切り替え弁を組み込んだ配管側を浴槽の往管の接続部へ接続し、残りの配管を浴槽の戻り管の接続位置へ接続することにより（浴槽に無極性循環アダプタが配設されている場合にはそのアダプタの任意の接続口に接続することにより）、循環・排水流路切り替え弁（循環・排水流路切り替え弁のユニット）を正しく組み込んだ追い焚き循環通路の接続施工作業を効率的に行うことができる。
【００４１】
また、既設の給湯風呂システムの追い焚き循環通路の往管に循環・排水流路切り替え弁（循環・排水流路切り替え弁のユニット）を組み込む場合においても、燃焼器具と浴槽間に既に接続されている追い焚き循環通路の２本の配管のうちどちらの配管（管路）が往管であるかを配管に手を触れて水の流れの振動を感知する等により、容易に水が流れる側の往管を区別認識することができる。それ故、その見分けがついた往管を途中で分断し、その分断箇所に循環・排水流路切り替え弁（循環・排水流路切り替え弁のユニット）を組み込むことにより、誤接続なく循環・排水流路切り替え弁（循環・排水流路切り替え弁のユニット）を往管に正しく組み込むことが可能となる。
【００４２】
さらに、管路接続チェック動作モードの制御部を有する発明においては、その管路接続チェック動作モードの制御部の制御動作を進行させることにより、往管に循環・排水流路切り替え弁（循環・排水流路切り替え弁のユニット）が正しく組み込まれている場合には、循環ポンプが駆動されて浴槽の残水が戻り管から循環ポンプへ吸い出され、該循環ポンプから追い焚き熱交換器、往管を順に通り、次いで、循環・排水流路切り替え弁から排水通路を通して排出される。一方、循環・排水流路切り替え弁（循環・排水流路切り替え弁のユニット）が誤って戻り管に組み込まれている場合には、浴槽水が循環ポンプによって吸い込まれない（循環ポンプは循環・排水流路切り替え弁により排水通路に連通され浴槽には連通されないので浴槽水が循環ポンプによって吸い込まれない）ので、循環ポンプを駆動しても排水通路から浴槽の残水が排出されることはない。
【００４３】
それ故、循環ポンプが駆動された後に、排水通路から浴槽の残水が排出されたときには循環・排水流路切り替え弁（循環・排水流路切り替え弁のユニット）が正しく往管に組み込まれていることが確認できる。その一方、循環ポンプが駆動された後に、排水通路から浴槽の残水が排出されないときには循環・排水流路切り替え弁（循環・排水流路切り替え弁のユニット）が誤って戻り管に組み込まれていることが確認でき、この場合には直ちに循環・排水流路切り替え弁（循環・排水流路切り替え弁のユニット）を他方側の配管（往管）に組み込み直すことで、循環・排水流路切り替え弁（循環・排水流路切り替え弁のユニット）を正しく往管に組み込むことができる。
【００４４】
さらに、管路接続チェック動作モードの制御部とエラー信号出力部とを備えた発明においては、前記の如く管路接続チェック動作モードの制御部の制御動作を進行させて、循環ポンプが駆動されたときに、循環・排水流路切り替え弁（循環・排水流路切り替え弁のユニット）が正しく往管に組み込まれている場合においては、通水検出手段によって追い焚き循環通路内の水流が検出されるが、循環・排水流路切り替え弁（循環・排水流路切り替え弁のユニット）が誤って戻り管に組み込まれている場合においては、循環・排水流路切り替え弁により循環ポンプは排水通路に連通しているので、通水検出手段によって追い焚き循環通路内の水流が検出されず、通水検出手段からエラー信号が出力される。
【００４５】
したがって、管路接続チェック動作モードの制御部の制御動作が行われているときに、排水通路から浴槽残水が排出されているか否かを目視により確認しなくても、通水検出手段からエラー信号が出力されないときには循環・排水流路切り替え弁（循環・排水流路切り替え弁のユニット）が正しく往管に組み込まれていることを確認でき、通水検出手段からエラー信号が出力されたときにはこれを検出して、循環・排水流路切り替え弁（循環・排水流路切り替え弁のユニット）が誤って戻り管に組み込まれていることが分かるので、このときには循環・排水流路切り替え弁（循環・排水流路切り替え弁のユニット）を往管に正しく組み込み直す作業を行うことができる。
【図面の簡単な説明】
【００４６】
【図１】本発明の給湯風呂装置における制御装置の回路構成の一実施形態の説明図である。
【図２】出願人が開発中であり、本発明の実施の形態でもある風呂給湯装置のシステム構成図である。
【図３】一実施形態の給湯風呂装置の往管に組み込まれる流路切り替えユニットの外観説明図である。
【図４】流路切り替えユニットの設置例を示す説明図である。
【図５】本実施形態における管路チェック動作モードの動作を示すフローチャートである。
【図６】本実施形態における管路接続チェック動作モードの動作を示すフローチャートである。
【図７】往管と戻り管の各接続態様の説明図である。
【図８】往管と戻り管の他の各接続態様の説明図である。
【図９】往管と戻り管のさらに他の各接続態様の説明図である。
【発明を実施するための形態】
【００４７】
以下に、本発明の実施の形態を図面に基き説明する。なお、本発明における給湯風呂装置のシステム構成の実施形態は既述した図２および「背景技術」の欄で説明した内容と同じであるので、その重複説明は省略する。
【００４８】
本発明の特徴は給湯風呂装置の制御装置の制御回路の構成を特有な構成としたことである。本実施形態の制御装置は前記した給湯風呂装置の各運転の動作を制御する回路構成を備えると共に、第３の切り替え弁３５（ドレン排水切り替えユニット３６）を戻り管２８と往管３０のうち、往管３０に正しく接続するための特有なチェック動作モードの制御構成を備えている。
【００４９】
図１はこの本発明の特徴であるチェック動作モードの制御構成の実施形態を示す。このチェック動作モードの制御構成は管路チェック動作モードの制御部６０と管路接続チェック動作モードの制御部６１とエラー信号出力部６２とを有して構成されている。
【００５０】
本実施形態では、制御装置は燃焼器具１の本体側に設置されて給湯風呂装置の各運転を制御するためのメイン制御回路が形成されたメイン制御基板と、燃焼器具１と双方向通信をして燃焼器具１を遠隔制御するリモコン（遠隔制御装置）に設置された制御基板（遠隔制御の回路が形成された回路基板）を有して構成されているものであり、これらの管路チェック動作モードの制御部６０と管路接続チェック動作モードの制御部６１とエラー信号出力部６２は燃焼器具１の本体側のメイン制御基板に設けられていてもよく、リモコンの制御基板に設けられていてもよく、一部をメイン制御基板に設け残りをリモコンの制御基板に設けるという如く、両基板にまたがって設けられていてもよいものである。
【００５１】
管路チェック動作モードの制御部６０は燃焼器具１を新規に設置する施工時に、燃焼器具１を設置場所に据え付けて、燃焼器具１内の追い焚き熱交換器１２に連通させる追い焚き循環通路２７を形成するための２本の配管（管路）のそれぞれ一端側を燃焼器具１側（より具体的には燃焼器具１の装置のケース側）の管路接続位置に接続した後に、ドレン排水切り替えユニット３６（第３の切り替え弁３５）を往管３０（３０ｂ）に接続するために、燃焼器具１から導出されている追い焚き循環通路用の２本の配管のうちどちらの配管が往管３０ｂであるかを見分けるために行う動作を制御するものである。
【００５２】
または、浴槽３２に設けるアダプタ３１が無極性循環タイプのもを使用している既設の風呂給湯システムの配管を再使用して、ドレン排水切り替えユニット３６を組み込む場合に、燃焼器具１から導出されている追い焚き循環通路用の２本の配管のうちどちらの配管が往管３０ｂであるかを見分けるために行う動作を制御するものである。
【００５３】
この管路チェック動作モードの制御部６０の制御動作は、例えばリモコンのボタンや、スイッチの操作により管路チェック指令を受けて開始する（図５参照）。この指令を受けて管路チェック動作モードの制御部６０は第２の切り替え弁（注湯・注水流路切り替え弁）３４を動作させて湯・水供給通路２０（具体的にはポンプ連通用通路２４）を循環ポンプ４７のポンプ吸い込み口２５側へ切り替え（この動作時には第１の切り替え弁３３は湯・水供給通路２０をポンプ連通用通路２４へ連通させた流路切り替えの定位置にある）、注湯・注水電磁弁４４を開動作させる。
【００５４】
そうすると、給水管１４に入水する水が潜熱熱交換器４、メイン熱交換器３、給湯管１５を順に通って湯・水供給通路２０に入り、さらに、第１の切り替え弁３３、湯・水供給通路２０として機能しているポンプ連通用通路２４、第２の切り替え弁３４、ポンプ吸い込み口２５、循環ポンプ４７、ポンプ吐出口２６、管路２９、追い焚き熱交換器１２を順に通って往管３０ｂの先端から流出する。
【００５５】
燃焼器具１の設置施工の作業者は燃焼器具１側から導出されている追い焚き循環通路用の２本の配管のうちの一方側からのみ水（給湯バーナ５を燃焼させた場合は湯）が流出するので、この流出する水を見て２本の配管のうち水が流出する方の配管が往管３０ｂであると認識できる。このように、２本の配管のうち一方側の配管のみに水が流水するので、２本の配管を手で触れば水が流れている配管からは水流による振動が手に伝わり、他方の配管からは振動が伝わらないので、流出する水を見なくても２本のうちのどちらの配管が往管３０ｂであるかを容易に区別認識できる。
【００５６】
それゆえ、作業者は往管３０ｂを正しくドレン排水切り替えユニット３６（第３の切り替え弁３５）の往管３０ｂ接続口であるふろ往き（入）側に接続することができる。そして、ドレン排水切り替えユニット３６（第３の切り替え弁３５）の往管３０ａの接続口であるふろ往き（出）に往管３０ａの一端側を接続しその往管３０ａの他端側をアダプタ３１の接続位置に接続し、他方の配管である戻り管２８をアダプタ３１の接続口に接続することにより、往管３０にドレン排水切り替えユニット３６（第３の切り替え弁３５）を組み込んだ追い焚き循環通路２７の配管接続施工が完了する。
【００５７】
さらに、ドレン排水切り替えユニット３６の排水通路４８が取り付けられる取付口（ドレン排水）に排水通路４８の一端側を接続し、他端側を浴室の洗い場の排水口まで伸ばす。ここでの配管接続施工で間違えるのは、（1）：往管３０と戻り管２８を間違える場合と（2）：往管３０ａの接続口に往管３０ｂを接続してしまい、残った往管３０ｂの接続口に往管３０ａを接続する間違いの２通りが考えられる。なお、排水通路４８が取り付けられる取付口径は、他の取付口径より小さくすることで誤接続を防止している。
【００５８】
しかし、誤接続を防止するために取付口径を小さく（排水通路４８を細く）すると、排水水圧により配管内圧が上昇する。そこで本実施形態では、排水したドレンが配管に残らないように洗浄する流量を制限て配管内圧が異常に上昇しない例えば排水通路４８の配管径７Ａ（内径７mm）に対して、流量を９リットル／分にコントロールしている。すなわち、ドレンが配管に残らないように洗浄する水の流量を制限は、誤接続を防止するために取付口径を小さくするためと、排水音を小さくする２つの目的で行われる。
【００５９】
管路接続チェック動作モードの制御部６１は、ドレン排水切り替えユニット３６（第３の切り替え弁３５）が組み込まれている追い焚き循環通路２７の配管接続作業（燃焼器具１側と浴槽３２間の追い焚き循環通路２７の配管接続作業）が終了した後の段階で、追い焚き循環通路２７の往管３０ｂに正しくドレン排水切り替えユニット３６（第３の切り替え弁３５）が組み込まれている状態で往管３０ａが浴槽３２（アダプタ３１）の往管接続位置に正しく接続されているか否かを検査する制御動作を行うものであり、この制御動作も、例えばリモコンのボタンや、スイッチの操作により管路接続チェック指令を受けて開始する（図６参照）。
【００６０】
この指令を受けて、管路接続チェック動作モードの制御部６１は、循環ポンプ４７の駆動によって追い焚き循環通路２７を通して流水スイッチ４５がオンするか否かの判断で循環可能な水位の残水が有るか否かを判断する。浴槽３２内にその水位レベルの残水があるときには管路接続チェック動作モードの制御動作を進行させ、残水がないときにはその制御動作の進行を停止する。残水がないときにはその旨を例えばリモコンの表示部に表示するようにしてもよい。
【００６１】
一般に、給湯風呂装置の設置が完了した段階で、浴槽３２への湯張りの試運転が行われ、このとき、浴槽３２の湯張りの水位（Ｐ）と浴槽３２内への落とし込み水量Ｑとの関係を示すＰ−Ｑデータが自動湯張りのためのデータとして自動的に作成してメモリに記憶する動作が行われる。このＰ−Ｑデータの自動作成が終了した時点においては、浴槽３２内には残水が存在しているので、Ｐ−Ｑデータの自動作成後に、管路接続チェック動作モードの制御部６１による管路接続チェック動作モードの制御動作を開始させると好都合である。
【００６２】
管路接続チェック動作モードの制御部６１は、浴槽３２内に残水があることを確認したときには、第３の切り替え弁３５を制御して往管３０ｂを排水通路４８へ切り替え、往管３０ｂと排水通路４８を連通させる。そして、循環ポンプ４７を駆動する。この動作モード時には第２の切り替え弁３４は流路切り替えの定位置の状態にあり、循環ポンプ４７のポンプ吸い込み口２５が戻り管２８の分岐通路２８ｂに切り替えられているので、ドレン排水切り替えユニット３６（第３の切り替え弁３５）が組み込まれている往管３０（３０ａ）が、正しくアダプタ３１の往管接続位置に接続されている場合には、循環ポンプ４７の駆動により、浴槽３２内の残水は、戻り管２８、分岐通路２８ｂ、ポンプ吸い込み口２５、循環ポンプ４７、ポンプ吐出口２６、管路２９、追い焚き熱交換器１２、往管３０ｂ、第３の切り替え弁３５を順に経て排水通路４８から残水が排出される（図７（ｃ）参照）。
【００６３】
これに対し、図７（ａ）に示されるように、ドレン排水切り替えユニット３６（第３の切り替え弁３５）のふろ往き（入）取付口がポンプ吸い込み口２５につながる戻り管２８（２８−ｂ）と接続され、ふろ往き（出）取付口が浴槽３２（アダプタ３１）と（例えば戻り管２８−ａで）接続された場合（アダプタ３１が無極性タイプの場合はアダプタ３１の２つの接続口の任意の一方側に戻り管２８−ｂ、他方側に往管３０を接続した場合）には、例えば戻り管２８（２８−ｂ）内の湯水がポンプ吸い込まれる間の例えば２０秒間は流水ＳＷがオンするがすぐに排水通路４８から空気を吸い込むことでＯＦＦしてしまい、例えば循環判断ディレイタイムである５０秒後にエラー表示がされる。また排水通路４８から例えば残水が２０秒間排出されるが、すぐ停止してしまうので、作業者も目視で誤配管を確認できる。
【００６４】
図７（ｂ）に示されるように、ドレン排水切り替えユニット３６（第３の切り替え弁３５）のふろ往き（出）取付口がポンプ吸い込み口２５につながる戻り管２８（２８−ｂ）と接続され、ふろ往き（入）取付口が浴槽３２（アダプタ３１）と（例えば戻り管２８−ａで）接続された場合（アダプタ３１が無極性タイプの場合はアダプタ３１の２つの接続口の任意の一方側に戻り管２８−ａ、他方側に往管３０を接続した場合）には、浴槽湯水をポンプで吸い込むことができないので、流水ＳＷはオフし続け、例えば循環判断ディレイタイムである５０秒後にエラー表示がされる。また作業者は、排水通路４８から残水が排出されないので、目視で誤配管を確認できる。
【００６５】
さらに、図７（ｄ）に示されるように、ドレン排水切り替えユニット３６（第３の切り替え弁３５）のふろ往き（出）取付口が追い焚き熱交換器１２につながる往管３０（３０ｂ）と接続され、ふろ往き（入）取付口が浴槽３２（アダプタ３１）と（往管３０ａで）接続された場合（アダプタ３１が無極性タイプの場合はアダプタ３１の２つの接続口の任意の一方側に戻り管２８、他方側に往管３０ａを接続した場合）には、浴槽水を吸い込んでも吐出することが出来ないため、流水ＳＷはオフし続け、例えば循環判断ディレイタイムである５０秒後にエラー表示がされる。また作業者は、排水通路４８から残水が排出されないので、目視で誤配管を確認できる。
【００６６】
したがって、作業者は、循環ポンプ４７が駆動された後に排水通路４８から浴槽３２の残水が排出されたことを目で見て確認できたときには、ドレン排水切り替えユニット３６（第３の切り替え弁３５）が組み込まれている往管３０（３０ａ）が、正しくアダプタ３１の往管接続位置に接続されていることを確認でき、そうでない場合には図７（ａ）、（ｂ）に示されるように、ドレン排水切り替えユニット３６（第３の切り替え弁３５）が戻り管２８に間違って接続されていること、または、図７（ｄ）に示されるように、往管３０ａの接続口に往管３０ｂを接続してしまい、残った往管３０ｂの接続口に往管３０ａを接続していることが分かり、その場で、配管接続を正しくやり直すことができる。
【００６７】
なお、アダプタ３１を無極性循環タイプのもので構成した場合には管路チェック動作モードの制御部６０のチェック動作により、ドレン排水切り替えユニット３６（第３の切り替え弁３５）を往管３０に正しく組み込むことができ、そのドレン排水切り替えユニット３６（第３の切り替え弁３５）を組み込んだ往管３０ａをアダプタ３１の追い焚き循環通路用の２個の接続口のどちらに接続してもよいので管路接続チェック動作モードの制御部６１の制御構成は必ずしも必要ないように思われるが、アダプタ３１を無極性循環タイプのもので構成した場合に、管路接続チェック動作モードの制御部６１の動作によって、循環ポンプ４７の駆動後に、排水通路４８から残水の排出が無い場合には往管３０にドレン排水切り替えユニット３６（第３の切り替え弁３５）が正しく組み込まれていないことが分かるので、往管３０にドレン排水切り替えユニット３６（第３の切り替え弁３５）が組み込まれているか否かのチェックを管路チェック動作モードの制御部６０の制御動作と管路接続チェック動作モードの制御部６１の制御動作でダブルチェックして検査判断の完璧化が図れるというメリットが得られる。
【００６８】
エラー信号出力部６２は管路接続チェック動作モードの制御部６１の制御動作に関連して動作するもので、管路接続チェック動作モードの制御部６１の制御動作で循環ポンプ４７が駆動された以降に循環水検出手段としての流水スイッチ４５からの流水検知信号の入力を待つ。なお、流水スイッチ４５は流水が検出されているときに流水検出信号としてのオン信号を出力するものであり、当業者にとっては周知であるので、その流水スイッチ４５の構成の説明は省略する。
【００６９】
エラー信号出力部６２は流水スイッチ４５から流水検出信号（オン信号）を受けたときには、循環ポンプ４７の駆動によって、浴槽３２から戻り管２８、分岐通路２８ｂ循環ポンプ４７、管路２９、追い焚き熱交換器１２、往管３０ｂ、第３の切り替え弁３５を順に通って排水通路４８に流れる流水があると判断する。つまり、流水スイッチ４５から流水検出信号が得られるということはドレン排水切り替えユニット３６（第３の切り替え弁３５）が組み込まれている往管３０ａが正しくアダプタ３１に接続されているものと判断する。なお、循環判断ディレイタイム（例えば５０秒）を設けて、循環ポンプ４７駆動後例えば循環判断ディレイタイムとして指定される５０秒後に流水スイッチ４５から流水検出信号（オン信号）を受けて判断するようにしても良い。
【００７０】
これに対し、循環ポンプ４７の駆動後に、流水スイッチ４５から流水検出信号（オン信号）の入力がないときには、流水スイッチ４５によって流水が検出されていない状態、つまり、循環ポンプ４７を駆動しても浴槽３２内の残水が循環ポンプ４７に吸引されない状態であり、ドレン排水切り替えユニット３６（第３の切り替え弁３５）が組み込まれている往管３０ａが正しくアダプタ３１に接続されていないものと判断してエラー信号を出力する。
【００７１】
このエラー信号はリモコン等の表示部５９に加えられ、その表示部５９にエラーが表示される。作業者はこのエラー表示を見て、ドレン排水切り替えユニット３６（第３の切り替え弁３５）が組み込まれている往管３０ａが、正しくアダプタ３１の往管接続位置に接続されていないこと（誤って戻り管の接続位置に接続されていること）を認識できるので、往管３０ａの接続を正しく修正することができる。
【００７２】
このエラー信号出力部６２を設けることにより、作業者は排水通路４８から浴槽３２の残水が排出されているか否かを排水通路４８の排水出口へ見に行かなくても、リモコン等の表示部５９のエラー表示の有無によって往管の浴槽３２への接続状態の良否を判断できるので作業効率を図る上で便利である。排水通路４８から浴槽３２の残水が排出されているか否かの確認と、リモコン等の表示部５９のエラー表示の有無の確認を共に行えば、ダブルチェック状態となり、ドレン排水切り替えユニット３６（第３の切り替え弁３５）が組み込まれている往管３０ａが、アダプタ３１の往管接続位置に正しく接続されているか否かの判断をより正確に行うことができる。
【００７３】
なお、なお、本発明は上記実施形態例に限定されず、本発明の技術思想（技術的範囲）を逸脱しない範囲で様々な実施の形態をとり得る。たとえば、上記実施形態では管路チェック動作モードの制御部６０と管路接続チェック動作モードの制御部６１とを共に制御装置に設けたが、管路チェック動作モードの制御部６０と管路接続チェック動作モードの制御部６１の一方のみを制御装置に設ける構成としてもよい。
【００７４】
また、上記実施形態では、管路接続チェック動作モードの制御部６１に関連させてエラー信号出力部６２を設けたが、このエラー信号出力部６２は省略してもよい。また循環判断ディレイタイム（例えば５０秒）は設けなくても良い。さらに、往管３０と戻り管２８か管径が同じでドレン用の排水通路のみ管径を変える実施例について説明したが、管径を全て同じとしても良い。この場合、図８（ａ）〜（ｄ）、図９（ａ）〜（ｄ）に示される管路接続状態の場合には、管路接続チェック動作モードの制御部６１が、浴槽３２内に残水があることを確認する段階等でエラーを出したり、目視確認で誤配管である旨を作業者に通知できるからである。
【００７５】
表１は流路切り替えユニット３６（第３の切り替え弁３５）のふろ往き（入）取付口と、ふろ往き（出）取付口とが同じ（例えば１０Ａ）で、ドレン排水管路（排水通路４８）の取付口のみが異なる（例えば７ａ）サイズにおいての、図７（ａ）〜（ｄ）に示される各管路接続態様における管路接続チェック動作を纏めたものである。
【００７６】
【表１】
0005566242.tif 000002
【００７７】
また、表２は、浴槽残水の確認動作は流水スイッチ４５のみを用いて行い、流路切り替えユニット３６（第３の切り替え弁３５）の、ふろ往き（入）取付口、ふろ往き（出）取付口、ドレン排水（排水通路４８）取付口の３つが全て同じ場合の場合にも適応される各管路接続態様、ここでは、図７（ａ）〜（ｄ）、図８（ａ）〜（ｄ）、図９（ａ）〜（ｄ）に示される管路接続態様おける管路接続チェック動作を纏めたものである。
【００７８】
なお、図７（ａ）〜（ｄ）、図８（ａ）〜（ｄ）、図９（ａ）〜（ｄ）においての、第３の切り替え弁３５の接続口の管路接続態様は表３に示されており、アダプタ３１が無極性タイプの場合のアダプタ３１の接続口への管路接続態様は表５に示されている。
【００７９】
【表２】
0005566242.tif 000003
【００８０】
【表３】
0005566242.tif 000004
【００８１】
【表４】
0005566242.tif 000005
【００８２】
さらに、上記実施形態では、流水スイッチ４５を循環水検出手段として流水スイッチ４５を例にして説明したが、循環水検出手段は流水を検出できるものであればよく、流水スイッチ４５以外のセンサを循環水検出手段として使用してもよい。また、管路チェック指令は、リモコン以外の、例えば本体基板での操作でも良いなど、特に限定はされない。
【産業上の利用可能性】
【００８３】
本発明の給湯風呂装置は潜熱熱交換器からドレンタンクに回収貯留したドレン水を循環ポンプで吸出し、風呂の追い焚き循環通路に導入して、その追い焚き循環通路の往管の一部をドレン水の排水用の通路として兼用使用するものに適用できる。
【符号の説明】
【００８４】
１      燃焼器具
３      メイン熱交換器
４      潜熱熱交換器
１２    追い焚き熱交換器
１５    給湯管
１９    ドレンタンク
２０    湯・水供給通路
２３    ドレンタンク排出路
２７    追い焚き循環通路
２８    戻り管
３０（３０ａ、３０ｂ）    往管
３２    浴槽
３４    第２の切り替え弁（注湯・注水流路切り替え弁）
３５    第３の切り替え弁（循環・排水流路切り替え弁）
３６    ドレン排水切り替えユニット
４４    注湯・注水電磁弁
【図１】
0005566242.tif 000006
【図２】
0005566242.tif 000007
【図３】
0005566242.tif 000008
【図４】
0005566242.tif 000009
【図５】
0005566242.tif 000010
【図６】
0005566242.tif 000011
【図７】
0005566242.tif 000012
【図８】
0005566242.tif 000013
【図９】
0005566242.tif 000014